(57)【要約】【課題】  軸受内部に充填した潤滑剤が弾性シールへ大量に押し寄せて軸受外部に漏れるのを防止すること。【解決手段】  外輪１２を介して図示外の軸箱に取付けられるシールケース１５に弾性シール１６を設け、弾性シール１６を内輪１１に隣接して図示外の回転軸に取付けられる回転部材１７に摺接させて軸受開口部１９を閉塞する一方、シールケース１５の内周部であって弾性シール１６よりも軸受内部側の部位に、軸受半径方向内側へ延在する仕切板２０を設けると共に、仕切板２０の内周部に、回転部材１７との間で接触シール又は非接触シールを形成するシール部材２０ｃを設けて大量の潤滑剤が弾性シール１６へ押し寄せないようにした。【選択図】図２
2006010043.tif 000002
【特許請求の範囲】
【請求項１】
回転軸に嵌合させる内輪と、外輪と、内輪及び外輪間に転動自在に介在する複数個の転動体と、複数個の転動体を軸受周方向に所定の間隔で保持する保持器とを具備し、外輪に取付けられるシールケースの内周部に弾性シールを設け、弾性シールを内輪及び／又は内輪に隣接して回転軸に取付けられる回転部材に摺接させて軸受開口部を閉塞すると共に、シールケースの内周部であって弾性シールよりも軸受内部側の部位に、シールケースの内周部から軸受半径方向内側へ延在する仕切板を設け、仕切板の内周部を内輪及び／又は回転部材の外周部に近接させて軸受内部の潤滑剤が弾性シールへ押し寄せるのを抑制した密封型転がり軸受において、
仕切板の内周部に、内輪及び／又は回転部材との間で接触シール又は非接触シールを形成するシール部材を設けたことを特徴とする密封型転がり軸受。
【請求項２】
シール部材の内周部に溝を形成したことを特徴とする請求項１に記載の密封型転がり軸受。
【発明の詳細な説明】
【技術分野】
【０００１】
本発明は、軸受内部への異物侵入及び軸受内部からの潤滑剤漏れを防止した密封型軸受装置に関し、特に潤滑剤漏れの防止に関するものである。
【背景技術】
【０００２】
図４は、鉄道車両等の車軸支持に使用される従来の密封型軸受装置を示している。図４の密封型軸受装置は、図示外の車軸に嵌合させる一対の内輪１１，１１と、図示外の軸箱に嵌合固定させる外輪１２と、内輪１１，１１及び外輪１２間に転動自在に介在する複列の転動体１３，１３，…と、各列の転動体１３，１３，…を軸受周方向に所定の間隔で保持する保持器１４，１４とを主要な構成要素としている。
【０００３】
ところで、この種の密封型軸受装置は、軸受内部にグリース等の潤滑剤を充填して使用されるため、軸受内部への異物侵入や潤滑剤漏れによる潤滑不良の発生を防止する必要がある。このため、外輪１２を介して図示外の軸箱に取付けられるシールケース１５，１５に弾性シール１６，１６を設け、弾性シール１６，１６を内輪１１，１１に隣接する油切りや後蓋等の回転部材１７，１７に設けたスリーブ１８，１８に摺接させて軸受開口部１９，１９を閉塞してある（例えば特許文献１参照）。
【０００４】
また、シールケース１５，１５の内周部であって弾性シール１６，１６よりも軸受内部側の部位に、軸受半径方向内側へ延在する仕切板２０，２０を設け、仕切板２０，２０の内周部を回転部材１７，１７のスリーブ１８，１８に近接させることにより、軸受内部の潤滑剤が弾性シール１６，１６へ大量に押し寄せるのを抑制している。
【特許文献１】特開平９−６８２３２号公報
【発明の開示】
【発明が解決しようとする課題】
【０００５】
しかし、上記の密封型軸受装置は、使用条件によっては、軸受内部の潤滑剤がスリーブ１８，１８と仕切板２０，２０との間に形成された隙間を通過して弾性シール１６，１６へ大量に押し寄せることがある。大量の潤滑剤が弾性シール１６，１６へ押し寄せると、潤滑剤漏れが発生する。
【０００６】
本発明は、かかる実情に鑑み創案されたものであって、その目的は、軸受内部に充填したグリース等の潤滑剤が弾性シールへ大量に押し寄せないようにして、潤滑剤漏れを防止し、軸受の潤滑状態を良好な状態に維持することができる密封型軸受装置を提供することにある。
【課題を解決するための手段】
【０００７】
本発明に係る密封型転がり軸受は、上記目的を達成するため、回転軸に嵌合させる内輪と、外輪と、内輪及び外輪間に転動自在に介在する複数個の転動体と、複数個の転動体を軸受周方向に所定の間隔で保持する保持器とを具備し、外輪に取付けられるシールケースの内周部に弾性シールを設け、弾性シールを内輪及び／又は内輪に隣接して回転軸に取付けられる回転部材に摺接させて軸受開口部を閉塞すると共に、シールケースの内周部であって弾性シールよりも軸受内部側の部位に、シールケースの内周部から軸受半径方向内側へ延在する仕切板を設け、仕切板の内周部を内輪及び／又は回転部材の外周部に近接させて軸受内部の潤滑剤が弾性シールへ押し寄せるのを抑制した密封型転がり軸受において、仕切板の内周部に、内輪及び／又は回転部材との間で接触シール又は非接触シールを形成するシール部材を設けたことを特徴としている。
【０００８】
上記の密封型転がり軸受は、シールケースの内周部であって弾性シールよりも軸受内部側の部位に、シールケースの内周部から軸受半径方向内側へ延在する仕切板を設けると共に、仕切板の内周部に、回転部材との間で接触シール又は非接触シールを形成するシール部材を設けているので、軸受内部の潤滑剤が仕切板を越えて大量に弾性シールへ押し寄せるのを抑制している。このように、大量の潤滑剤が弾性シールへ押し寄せるのを抑制することで、軸受内部からの潤滑剤漏れを防止することができる。
【発明の効果】
【０００９】
本発明に係る密封型軸受装置によれば、軸受内部の潤滑剤が弾性シール側へ大量に押し寄せるのを抑制することで、潤滑剤漏れを防止し、軸受の潤滑状態を良好な状態に維持することができる。
【発明を実施するための最良の形態】
【００１０】
以下、添付図面を参照しつつ本発明に係る密封型軸受装置の一実施形態について説明する。なお、本実施形態では、従来例と同一部位には同一符号を付して説明する。
【００１１】
図１は、本発明に係る密封型軸受装置の一実施形態を例示する縦断面図であって、従来例と同様に、本発明を鉄道車両等の車軸支持に適用したものを示している。本実施形態に係る密封型軸受装置は、一対の内輪１１，１１と外輪１２との間に複列の転動体１３，１３，…を転動自在に介在させ、各列の転動体１３，１３，…を保持器１４，１４によって軸受周方向に所定の間隔で保持してある。外輪１２の両端部には、シールケース１５，１５の一端を嵌合固定して、外輪１２を介してシールケース１５，１５を図示外の軸箱に取付け固定してある。シールケース１５，１５は、一端側から他端側へ向かって小径となる多段円筒状に形成された部材である。シールケース１５，１５の内周部には、他端側から順に弾性シール１６，１６と仕切板２０，２０を設けてある。
【００１２】
図２は、図１の要部拡大図である。以下、図２を参照して、弾性シール１６及び仕切板２０について詳述する。
【００１３】
図２に示すように、弾性シール１６は、シールケース１５に内嵌させる芯金１６ａと、芯金１６ａに固着したゴムや合成樹脂等の弾性材からなるリップ部材１６ｂとを有する。リップ部材１６ｂは、内輪１１に隣接して図示外の車軸に取付けられる回転部材１７に設けたスリーブ１８に摺接させる第１のリップ１６ｂ１，１６ｂ１と、スリーブ１８に近接させる第２のリップ１６ｂ２とを有する。スリーブ１８は、回転部材１７に外嵌させると共にリップ部材１６ｂの第１のリップ１６ｂ１，１６ｂ１を摺接させる嵌合部１８ａと、嵌合部１８ａの軸受とは反対側の端部から軸受半径方向外側へ延在させてリップ部材１６ｂの第２のリップ１６ｂ２に近接させる環状フランジ部１８ｂとを有し、環状フランジ部１８ｂの外周面とシールケース１５の他端内周面との間でラビリンスシールＳ1を形成している。
【００１４】
仕切板２０は、図２に示すように、弾性シール１６の芯金１６ａを介してシールケース１５に内嵌させる嵌合部２０ａと、弾性シール１６のリップ部材１６ｂとスリーブ１８の摺接部位よりも軸受内部側で嵌合部２０ａから軸受半径方向内側へ延在する円板部２０ｂとを有し、円板部２０ｂの内周部にシール部材２０ｃを設けてある。シール部材２０ｃは、回転部材１７に設けたスリーブ１８の嵌合部１８ａに軽接触するように環状に形成された部材で、ゴムや合成樹脂等の弾性材で構成してある。
【００１５】
このように、仕切板２０の内周部に設けたシール部材２０ｃをスリーブ１８に軽接触させることで、軸受内部の潤滑材が仕切板２０を越えて大量に弾性シール１６へ押し寄せるのを抑制することができる。
【００１６】
以上、本発明の密封型転がり軸受の一実施形態につき説明したが、本発明は、上記実施形態に限定されることなく種々の変形が可能であって、例えば上記実施形態では、シール部材２０ｃを回転部材１７のスリーブ１８に軽接触させているが、シール部材２０ｃは、図３に示すように、回転部材１７のスリーブ１８に近接させて非接触シールを形成するものであっても構わない。
【００１７】
また、上記実施形態では、シール部材２０ｃの内周面全体を回転部材１７のスリーブ１８に面接触させているが、図３に示すように、シール部材２０ｃの内周面に周方向に延びる溝２０ｃ１を形成してもよい。このように、シール部材２０ｃの内周面に溝２０ｃ１を設けておくと、シール部材２０ｃとスリーブ１８の間に侵入した潤滑剤が溝２０ｃ１によって捕捉され、仕切板２０とスリーブ１８の間を通過し難くなる。すなわち、ラビリンス効果により軸受内部への異物侵入の防止及び潤滑剤漏洩を抑制することができる。なお、溝２０ｃ１は、非接触シールを形成するシール部材２０ｃに限らず、接触シールを形成するシール部材２０ｃ（図２参照）に形成することも可能である。
【００１８】
また、上記実施形態では、回転部材１７のスリーブ１８に設けているが、回転部材１７がスリーブ１８を具備していない場合には、シール部材２０ｃの内周面を回転部材１７の外周面に接触又は近接させて接触シール又は非接触シールを形成する。
【００１９】
また、上記実施形態では、弾性シール１６を回転部材１７に取付けたスリーブ１８に摺接させているが、内輪１１の端部を弾性シール１６よりも軸方向外側に延在させてある場合は、弾性シール１６を内輪１１の外周部に摺接することになる。なお、弾性シール１６は、内輪１１及び回転部材１７の両方に摺接するように構成しても構わない。
【００２０】
さらに、上記実施形態では、シール部材２０ｃをスリーブ１８に摺接又は近接させているが、内輪１１の端部をシール部材２０ｃよりも軸方向外側に延在させてある場合は、シール部材２０ｃを内輪１１の外周部に摺接又は近接することになる。なお、シール部材２０ｃは、内輪１１及び回転部材１７の両方に摺接又は近接するように構成しても構わない。
【図面の簡単な説明】
【００２１】
【図１】本発明に係る密封型軸受装置の一実施形態を示す断面図である。
【図２】図１の要部拡大図である。
【図３】本発明に係る密封型軸受装置の変形例を示す要部拡大断面図である。
【図４】従来の密封型軸受装置の一例を示す断面図である。
【符号の説明】
【００２２】
１１   内輪
１２   外輪
１３   転動体
１４   保持器
１５   シールケース
１６   弾性シール
１７   回転部材
１８   スリーブ
１９   軸受開口部
２０   仕切板
２０ｃ シール部材
２０ｃ１      溝
【図１】
2006010043.tif 000003
【図２】
2006010043.tif 000004
【図３】
2006010043.tif 000005
【図４】
2006010043.tif 000006